(57)【特許請求の範囲】
【請求項１】
移動局が第１の周波数バンド及び第２の周波数バンドをサポートする場合、第２の周波数バンドで受信感度が劣化するか否か、第２の周波数バンドでの通信のための認証が取得されているか否か、及び移動局の送受信帯域が第２の周波数バンドの一部の帯域に対応しているか否かのうち少なくとも１つが示された情報要素を生成する情報要素生成部と、
生成された情報要素を送信する送信部と、
を有する移動局。
【請求項２】
前記送信部は、移動局の機能が示された移動機能力と共に、生成された情報要素を制御チャネルで送信する、請求項１に記載の移動局。
【請求項３】
移動局が第１の周波数バンド及び第２の周波数バンドをサポートする場合、第２の周波数バンドで受信感度が劣化するか否か、第２の周波数バンドでの通信のための認証が取得されているか否か、及び移動局の送受信帯域が第２の周波数バンドの一部の帯域に対応しているか否かのうち少なくとも１つが示された情報要素を受信する受信部と、
受信した情報要素に基づいて移動局との通信を制御する制御部と、
を有する基地局。
【請求項４】
前記制御部は、受信した情報要素が第２の周波数バンドで受信感度が劣化することを示す場合、移動局との通信を許可又は拒否する、請求項３に記載の基地局。
【請求項５】
前記制御部は、受信した情報要素が第２の周波数バンドで受信感度が劣化することを示す場合、第２の周波数バンドとは異なる周波数帯で移動局との通信を許可する、請求項３又は４に記載の基地局。
【請求項６】
前記制御部は、受信した情報要素が第２の周波数バンドでの通信のための認証が取得されていないことを示す場合、移動局との通信を許可又は拒否する、請求項３に記載の基地局。
【請求項７】
前記制御部は、受信した情報要素が第２の周波数バンドでの通信のための認証が取得されていないことを示す場合、第２の周波数バンドとは異なる周波数帯で移動局との通信を許可する、請求項３又は６に記載の基地局。
【請求項８】
前記制御部は、受信した情報要素が移動局の送受信帯域が第２の周波数バンドの一部の帯域に対応していることを示す場合、対応している一部の帯域で移動局との通信を許可する、請求項３に記載の基地局。
【請求項９】
移動局における送信方法であって、
移動局が第１の周波数バンド及び第２の周波数バンドをサポートする場合、第２の周波数バンドで受信感度が劣化するか否か、第２の周波数バンドでの通信のための認証が取得されているか否か、及び移動局の送受信帯域が第２の周波数バンドの一部の帯域に対応しているか否かのうち少なくとも１つが示された情報要素を生成するステップと、
生成された情報要素を送信するステップと、
を有する送信方法。
【請求項１０】
基地局における通信制御方法であって、
移動局が第１の周波数バンド及び第２の周波数バンドをサポートする場合、第２の周波数バンドで受信感度が劣化するか否か、第２の周波数バンドでの通信のための認証が取得されているか否か、及び移動局の送受信帯域が第２の周波数バンドの一部の帯域に対応しているか否かのうち少なくとも１つが示された情報要素を受信するステップと、
受信した情報要素に基づいて移動局との通信を制御するステップと、
を有する通信制御方法。
【発明の詳細な説明】
【技術分野】
【０００１】
本発明は、移動局、基地局、送信方法及び通信制御方法に関する。
【背景技術】
【０００２】
移動体通信では、各国の周波数の割り当てに基づき、周波数バンドが定義されている（非特許文献１：TS36.101, V9.3.0参照）。例えば、周波数バンド１では、上りリンク帯域が1920MHz〜1980MHzであり、下りリンク帯域が2110MHz〜2170MHzである。
【先行技術文献】
【非特許文献】
【０００３】
【非特許文献１】3GPP TS36.101, V9.3.0
【非特許文献２】3GPP TS 36.331, V. 9.2.0
【発明の概要】
【発明が解決しようとする課題】
【０００４】
周波数バンド１（2GHz帯）のような周波数帯では、国際的な周波数の割り当てが検討されているため、各国での周波数の割り当て状況は同じになる。しかし、一般的には、各国の規制や状況に応じて実際に移動体通信で用いられる周波数バンドが決定されるため、同じ周波数帯（800MHz帯）であるものの、各国での周波数の割り当て状況が異なるという状態が発生する。なお、周波数帯とは、用途毎に分類された周波数の領域であり、周波数帯の中に１つ以上の周波数バンドを定義し、移動体通信に使用することができる。
【０００５】
図１に、各国における周波数の割り当て例を示す。国ａでは、周波数バンドＡが使用されており、国ｂでは、周波数バンドＢが使用されており、国ｃでは、周波数バンドＣが使用されている。
【０００６】
これらの周波数バンドＡ、Ｂ及びＣを包含する周波数バンドＤを定義することもでき、国ｄでは、この周波数バンドＤを使用することもできる。しかし、周波数バンドＤでは、送受信周波数間隔が同じままで送受信帯域が大きくなるため、周波数バンドＡ〜Ｃよりデュプレクサ（duplexer）を作りにくくなる。このため、周波数バンドＤに従って動作する移動局は、周波数バンドＡ〜Ｃのうち１つに従って動作する移動局より受信感度が悪くなる。逆に、周波数バンドＡ〜Ｃのうち１つに従って動作する移動局は、周波数バンドＤに従って動作する移動局より受信感度が良くなる。このように、受信感度は、送受信帯域や送受信周波数間隔によって異なる。
【０００７】
一般的に、移動局は全ての国で使われることが望ましい。例えば、周波数バンドＤをサポートする移動局が周波数バンドＡ又はＢもサポートする場合、その移動局は、国ｄだけでなく、国ａ又は国ｂでも使用できる。このように、複数の周波数バンドをサポートすることにより、ローミング収入の増加やユーザの利便性の向上が期待できる。
【０００８】
また、周波数バンドＡをサポートする移動局が周波数バンドＤの一部で通信できれば、同様にローミング収入の増加やユーザの利便性の向上が期待できる。
【０００９】
しかし、周波数バンドＤをサポートする移動局が周波数バンドＡ〜Ｃのうち１つにローミングする場合、上記のように受信感度が劣化する。すなわち、下りリンクのカバレッジが小さくなる。
【００１０】
また、国によっては、通信のために認証を取得する必要がある。認証とは、通信時の送信電力等の特性が所定の条件を満たしていることを言う。一方の国で認証を取得していても、他方の国で別の認証が必要になることもあり、一方の国で認証を取得している場合には、他方の国での通信のための所定の条件を自動的に満たすこともある。例えば、国ａ及び国ｂにおいて認証を取得しなければ通信を許可しないという規制があることを仮定する。周波数バンドＤをサポートする移動局は、ローミング先の国ａ又は国ｂの認証（ローミング先の周波数バンドでの通信のための認証）を取得していない可能性がある。このような場合、特性的には通信が可能であっても、認証を取得していない移動局による通信は許可されない。
【００１１】
また、周波数バンドＡをサポートする移動局が周波数バンドＣ又はＤにローミングする場合、ローミング先の周波数バンドの全帯域に対応しておらず、一部の帯域のみ（ＡとＣとの重複部分又はＡとＤとの重複部分）に対応することになる。
【００１２】
このような状況に常に通信を許可しないようにすると、ローミング収入の増加やユーザの利便性の向上を妨げることになる。
【００１３】
本発明は、各国での周波数割り当て状況が異なる場合にも、移動局のローミングを可能にすることを目的とする。
【課題を解決するための手段】
【００１４】
本発明の移動局は、
移動局が第１の周波数バンド及び第２の周波数バンドをサポートする場合、第２の周波数バンドで受信感度が劣化するか否か、第２の周波数バンドでの通信のための認証が取得されているか否か、及び移動局の送受信帯域が第２の周波数バンドの一部の帯域に対応しているか否かのうち少なくとも１つが示された情報要素を生成する情報要素生成部と、
生成された情報要素を送信する送信部と、
を有することを特徴とする。
【００１５】
本発明の基地局は、
移動局が第１の周波数バンド及び第２の周波数バンドをサポートする場合、第２の周波数バンドで受信感度が劣化するか否か、第２の周波数バンドでの通信のための認証が取得されているか否か、及び移動局の送受信帯域が第２の周波数バンドの一部の帯域に対応しているか否かのうち少なくとも１つが示された情報要素を受信する受信部と、
受信した情報要素に基づいて移動局との通信を制御する制御部と、
を有することを特徴とする。
【００１６】
本発明の送信方法は、
移動局における送信方法であって、
移動局が第１の周波数バンド及び第２の周波数バンドをサポートする場合、第２の周波数バンドで受信感度が劣化するか否か、第２の周波数バンドでの通信のための認証が取得されているか否か、及び移動局の送受信帯域が第２の周波数バンドの一部の帯域に対応しているか否かのうち少なくとも１つが示された情報要素を生成するステップと、
生成された情報要素を送信するステップと、
を有することを特徴とする。
【００１７】
本発明の通信制御方法は、
基地局における通信制御方法であって、
移動局が第１の周波数バンド及び第２の周波数バンドをサポートする場合、第２の周波数バンドで受信感度が劣化するか否か、第２の周波数バンドでの通信のための認証が取得されているか否か、及び移動局の送受信帯域が第２の周波数バンドの一部の帯域に対応しているか否かのうち少なくとも１つが示された情報要素を受信するステップと、
受信した情報要素に基づいて移動局との通信を制御するステップと、
を有することを特徴とする。
【発明の効果】
【００１８】
本発明の実施例によれば、各国での周波数割り当て状況が異なる場合にも、移動局のローミングが可能になる。
【図面の簡単な説明】
【００１９】
【図１】各国における周波数の割り当て例
【図２】本発明の実施例に係る移動局及び基地局のブロック図
【図３】本発明の実施例に係る移動局における送信方法のフローチャート
【図４】本発明の実施例に係る基地局における通信制御方法のフローチャート
【図５】本発明の実施例に係る基地局における通信制御方法のフローチャート
【図６】本発明の実施例に係る基地局における通信制御方法のフローチャート
【図７】移動局と基地局との間で情報要素を送信するシーケンス例
【発明を実施するための形態】
【００２０】
本発明の実施例では、各国での周波数の割り当て状況が異なる場合に、移動局が異なる周波数バンドにローミングすることを想定する。尚、前記異なる周波数バンドは、対応する周波数帯域の全て、あるいは、一部が、お互いに重複している。この場合、以下の点を考慮して通信を制御する必要がある。
（１）ローミング先の周波数バンドで受信感度が劣化するか否か
（２）ローミング先の周波数バンドでの通信のための認証が取得されているか否か
（３）移動局の送受信帯域がローミング先の周波数バンドの一部の帯域に対応しているか否か
なお、（１）〜（３）のうちいずれか１つを考慮すればよい場合もあり、これらの組み合わせを考慮しなければならない場合もある。
【００２１】
尚、「移動局が異なる周波数バンドにローミングする」とは、言い換えれば、「移動局が複数の周波数バンドをサポートする」という意味であってもよい。ここで、前記複数の周波数バンドは、対応する周波数帯域の全て、あるいは、一部が、お互いに重複している。この場合、以下の点を考慮して、通信を制御する必要がある。
（１）複数の周波数バンドの内のある周波数バンドで受信感度が劣化するか否か
（２）複数の周波数バンドの内のある周波数バンドでの通信のための認証が取得されているか否か
（３）移動局の送受信帯域が、複数の周波数バンドの内のある周波数バンドの一部の帯域に対応しているか否か
尚、上述した、移動局が周波数バンドをサポートする、とは、前記移動局が、そのCapabilityとして、前記周波数バンドをサポートする、という意味である。すなわち、移動局が周波数バンドをサポートする、とは、前記移動局が、前記周波数バンドで通信を行うことが可能であり、かつ、前記周波数バンドに関して規定されている、最大送信電力やスプリアスエミッション規定、受信感度、ブロッキング等の規定をサポートしているという意味である。尚、前記最大送信電力やスプリアスエミッション規定、受信感度、ブロッキング等の規定は、例えば、非特許文献１：TS 36.101, V. 9.3.0に規定されている。
【００２２】
尚、上述した、移動局がその周波数バンドをサポートしているというCapabilityに関するシグナリングは、例えば、非特許文献２：TS 36.331, V. 9.2.0において、SupportedBandEUTRAという情報要素として規定されていてもよい。ここで、前記SupportedBandEUTRAには、bandEUTRAという周波数バンドの番号（インデックス）を通知する情報要素と、ハーフデュープレックスの移動局であるか否かを示す情報要素が含まれていてもよい。
【００２３】
図１に示す周波数の割り当ての場合、（１）ローミング先の周波数バンドで受信感度が劣化するか否かについては、周波数バンドＤに従って動作する移動局が周波数バンドＡ〜Ｃのうち１つにローミングする場合に考慮する必要がある。すなわち、図１に示す周波数の割り当ての場合、（１）複数の周波数バンドの内のある周波数バンドで受信感度が劣化するか否かについては、周波数バンドＤに従って動作する移動局が、周波数バンドＡ〜Ｃのうちの１つまたは２つ以上をサポートする場合に考慮する必要がある。
【００２４】
また、（２）ローミング先の周波数バンドでの通信のための認証が取得されているか否かについては、周波数バンドＡ及びＢでの通信に認証が必要であると仮定したときに、移動局が周波数バンドＡ又はＢにローミングする場合に考慮する必要がある。すなわち、（２）複数の周波数バンドの内のある周波数バンドでの通信のための認証が取得されているか否かについては、周波数バンドＡ及びＢでの通信に認証が必要であると仮定したときに、移動局が周波数バンドＡ又はＢをサポートする場合に考慮する必要がある。
【００２５】
また、（３）移動局の送受信帯域がローミング先の周波数バンドの一部の帯域のみに対応しているか否かについては、周波数バンドＡ又はＢをサポートする移動局が周波数バンドＣ又はＤにローミングする場合、或いは周波数バンドＣをサポートする移動局が周波数バンドＤにローミングする場合に考慮する必要がある。すなわち、（３）移動局の送受信帯域が、複数の周波数バンドの内のある周波数バンドの一部の帯域のみに対応しているか否かについては、周波数バンドＡ又はＢをサポートする移動局が周波数バンドＣ又はＤもサポートする場合、或いは周波数バンドＣをサポートする移動局が周波数バンドＤもサポートする場合に考慮する必要がある。
【００２６】
このため、移動局は、上記の（１）〜（３）を示す情報要素を基地局に送信する。基地局は、（１）〜（３）を示す情報要素を考慮して通信を制御する。例えば、基地局は、通信を許可又は拒否してもよく、異なる周波数帯（例えば、国際的な周波数の割り当てが検討された2GHz帯）での通信を許可してもよい。尚、上記例においては、前記異なる周波数帯は、前記移動局がサポートしていると仮定している。
【００２７】
以下、本発明の実施例について、図面を参照して詳細に説明する。
【００２８】
＜移動局及び基地局の構成＞
図２に、本発明の実施例に係る移動局及び基地局のブロック図を示す。
【００２９】
移動局１０は、情報要素生成部１０１と、送信部１０３とを有する。
【００３０】
情報要素生成部１０１は、（１）ローミング先の周波数バンドで受信感度が劣化するか否か、（２）ローミング先の周波数バンドでの通信のための認証が取得されているか否か、（３）移動局の送受信帯域がローミング先の周波数バンドの一部の帯域のみに対応しているか否かのうち少なくとも１つが示された情報要素を生成する。すなわち、情報要素生成部１０１は、（１）複数の周波数バンドの内のある周波数バンドで受信感度が劣化するか否か、（２）複数の周波数バンドの内のある周波数バンドでの通信のための認証が取得されているか否か、（３）移動局の送受信帯域が、複数の周波数バンドの内のある周波数バンドの一部の帯域に対応しているか否かのうち少なくとも１つが示された情報要素を生成する。
【００３１】
例えば、移動局１０が周波数バンドＡ及び周波数バンドＤをサポートすることを仮定する。情報要素生成部１０１は、周波数バンドＡ及び周波数バンドＤに関して、それぞれ、受信感度が劣化するか否かを示す情報要素を生成する。この情報要素は１ビットで表現されてもよい。例えば、その周波数バンドで受信感度が劣化する場合には０とし、その周波数バンドで受信感度が劣化しない場合には１とする。ここで、移動局１０が周波数バンドＤに従って動作するように設計されている場合を考える。この場合、情報要素生成部１０１は、周波数バンドＡに関しては、受信感度が劣化するか否かを示す情報要素を０とし、周波数バンドＤに関しては、受信感度が劣化するか否かを示す情報要素を１とする。尚、前記受信感度が劣化するか否かを示す情報要素は、受信感度が劣化するであろうと想定される周波数バンド（本例においては、周波数バンドＡ）に対してのみ付与されてもよい。この場合、情報要素生成部１０１は、周波数バンドＡに関してのみ、受信感度が劣化するか否かを示す情報要素として０を通知し、周波数バンドＤに関しては、前記受信感度が劣化するか否かを示す情報要素そのものを通知しなくてもよい。
【００３２】
例えば、移動局１０が周波数バンドＡ及び周波数バンドＤをサポートすることを仮定する。情報要素生成部１０１は、周波数バンドＡ及び周波数バンドＤに関して、それぞれ、その周波数バンドでの通信のための認証が取得されているか否かを示す情報要素を生成する。この情報要素は１ビットで表現されてもよい。例えば、その周波数バンドでの通信のための認証が取得されていない場合には０とし、その周波数バンドでの通信のための認証が取得されている場合には１とする。ここで、移動局１０は、周波数バンドＡでの通信のための認証が取得されていないが、周波数バンドＤでの通信のための認証が取得されている場合を仮定する。この場合、情報要素生成部１０１は、周波数バンドＡに関しては、その周波数バンドでの通信のための認証が取得されているか否かを示す情報要素を０とし、周波数バンドＤに関しては、その周波数バンドでの通信のための認証が取得されているか否かを示す情報要素を１とする。尚、前記その周波数バンドでの通信のための認証が取得されているか否かを示す情報要素は、その周波数バンドでの通信のための認証を取得する必要があるバンド（本例においては、周波数バンドＡ）に対してのみ付与されてもよい。この場合、情報要素生成部１０１は、周波数バンドＡに関してのみ、その周波数バンドでの通信のための認証が取得されているか否かを示す情報要素として０を通知し、周波数バンドＤに関しては、その周波数バンドでの通信のための認証が取得されているか否かを示す情報要素そのものを通知しなくてもよい。
【００３３】
例えば、移動局１０が周波数バンドＡをサポートすることを仮定する。移動局１０が周波数バンドＡから周波数バンドＤにローミングするときに、情報要素生成部１０１は、周波数バンドＤの一部の帯域のみに対応していることを示す情報要素を生成する。この情報要素は、対応している帯域を表すビットで表現されてもよく、予め決められたビットで表現されてもよい。なお、予め決められたビットと帯域との対応関係は、システム上の仕様で決定されていてもよい。すなわち、情報要素生成部１０１は、周波数バンドＡ及び周波数バンドＤをサポートする情報要素と、周波数バンドＤに関しては、その一部の帯域のみに対応していることを示す情報要素を生成する。
【００３４】
より具体的には、例えば、周波数バンドＤの帯域を5 MHzの大きさブロックに分割し、各ブロックに対してビットが定義されてもよい。ここで、前記ビットは、０であれば、移動局１０は当該5 MHzの帯域（ブロック）をサポートすることを意味し、１であれば、移動局１０は当該5 MHzの帯域（ブロック）をサポートしないことを意味してもよい。
【００３５】
あるいは、例えば、1ビットが定義され、前記1ビットが０であれば、周波数バンドＤの内、周波数バンドＡの帯域をサポートすることを意味し、前記1ビットが1であれば、周波数バンドＤの全ての帯域をサポートすることを意味してもよい。
【００３６】
送信部１０３は、生成された情報要素を送信する。例えば、移動局の機能が示された移動機能力（UE Capability）と共に、生成された情報要素を制御チャネルで送信してもよい。
【００３７】
基地局２０は、受信部２０１と、通信可否判定部２０３と、送受信帯域設定部２０５とを有する。
【００３８】
受信部２０１は、移動局１０から送信された情報要素を受信する。上記のように、情報要素には、（１）ローミング先の周波数バンドで受信感度が劣化するか否か、（２）ローミング先の周波数バンドでの通信のための認証が取得されているか否か、（３）移動局の送受信帯域がローミング先の周波数バンドの一部の帯域のみに対応しているか否かのうち少なくとも１つが示されている。すなわち、前記情報要素には、（１）複数の周波数バンドの内のある周波数バンドで受信感度が劣化するか否か、（２）複数の周波数バンドの内のある周波数バンドでの通信のための認証が取得されているか否か、（３）移動局の送受信帯域が、複数の周波数バンドの内のある周波数バンドの一部の帯域に対応しているか否かのうち少なくとも１つが示されている。
【００３９】
通信可否判定部２０３は、受信した情報要素に基づいて移動局との通信の可否を判定する。
【００４０】
例えば、周波数バンドAを用いて移動通信サービスを提供する基地局２０における通信可否判定部２０３と、周波数バンドDに従って動作するように設計されている移動局１０を仮定する。この場合、移動局１０は、周波数バンドＤと周波数バンドＡをサポートすることを、そのCapabilityとして通知し、かつ、そのCapabilityには、周波数バンドＡに関しては、受信感度が劣化することを示す情報要素が含まれる。すなわち、基地局２０は、移動局１０から、周波数バンドＡと周波数バンドＤをサポートするという情報要素と、周波数バンドＡに関しては、受信感度が劣化するという情報要素を受信する。通信可否判定部２０３は、受信感度が劣化してもよいと判断した場合、移動局との通信を許可する。通信可否判定部２０３は、受信感度が劣化するのは好ましくないと判断した場合、移動局との通信を許可しない。或いは、通信可否判定部２０３は、受信感度が劣化するのは好ましくないと判断した場合、他の周波数帯（例えば、周波数バンドＡ及びＤが800MHz帯である場合に、2GHz帯）で通信を許可する。ここで、移動局１０は、前記2GHz帯の周波数バンドをサポートしていると仮定する。
【００４１】
例えば、周波数バンドＡを用いて移動通信サービスを提供する基地局２０における通信可否判定部２０３と、周波数バンドＡと周波数バンドＤをサポートしているが、周波数バンドＡに関しては、認証が取得されていない移動局１０を仮定する。この場合、移動局１０は、周波数バンドＤと周波数バンドＡをサポートすることを、そのCapabilityとして通知し、かつ、そのCapabilityには、周波数バンドＡに関しては、認証が取得されていないことを示す情報要素が含まれる。すなわち、基地局２０は、移動局１０から、周波数バンドＡと周波数バンドＤをサポートするという情報要素と、周波数バンドＡに関しては、認証が取得されていないという情報要素を受信する。通信可否判定部２０３は、認証が取得されていなくてもよいと判断した場合、移動局との通信を許可する。通信可否判定部２０３は、認証が取得されていないのは好ましくないと判断した場合、移動局との通信を許可しない。或いは、通信可否判定部２０３は、認証が取得されていないのは好ましくないと判断した場合、他の周波数帯（例えば、周波数バンドＡ及びＤが800MHz帯である場合に、2GHz帯）で通信を許可する。ここで、移動局１０は、前記2GHz帯の周波数バンドをサポートしていると仮定する。
【００４２】
例えば、周波数バンドＤを用いて移動通信サービスを提供する基地局２０における通信可否判定部２０３と、周波数バンドＡはサポートしているが、周波数バンドＤに関しては、その一部の帯域のみサポートしている移動局１０を仮定する。この場合、移動局１０は、周波数バンドＤと周波数バンドＡをサポートすることを、そのCapabilityとして通知し、かつ、そのCapabilityには、周波数バンドＤに関しては、周波数バンドＤの一部の帯域のみに対応していることを示す情報要素が含まれる。すなわち、基地局２０は、移動局１０から、周波数バンドＡと周波数バンドＤをサポートするという情報要素と、周波数バンドＤに関しては、周波数バンドＤの一部の帯域のみに対応していることを示す情報要素を受信する。通信可否判定部２０３は、その一部の帯域での通信を許可する。
【００４３】
送受信帯域設定部２０５は、移動局１０の送受信帯域を設定し、移動局１０にどの周波数帯域で通信を行うかを移動局１０に指示する。例えば、送受信帯域設定部２０５は、他の周波数帯（2GHz帯）で通信を行うことを指示してもよく、移動局が一部の帯域のみに対応している場合には、一部の帯域で通信を行うことを指示してもよい。
【００４４】
＜移動局及び基地局の動作＞
図３に、本発明の実施例に係る移動局における送信方法のフローチャートを示す。
【００４５】
情報要素生成部１０１は、ローミングの際に、ローミング先の周波数バンドで受信感度が劣化するか否かを判定する（Ｓ１０１）。尚、情報要素生成部１０１は、ローミング先の周波数バンドとローミング先の周波数バンドの両方において、受信感度が劣化するか否かを判定してもよい。すなわち、情報要素生成部１０１は、移動局１０が第１の周波数バンドと第２の周波数バンドをサポートする場合に、前記第１の周波数バンドまたは第２の周波数バンドに関して、受信感度が劣化するか否かを判定する（Ｓ１０１）。
受信感度が劣化する場合には、受信感度が劣化することを示す情報要素を生成する（Ｓ１０３）。尚、受信感度が劣化しない場合には、受信感度が劣化しないことを示す情報要素が生成されてもよい。
【００４６】
次に、情報要素生成部１０１は、ローミング先の周波数バンドでの通信のための認証が取得されているか否かを判定する（Ｓ１０５）。尚、情報要素生成部１０１は、ローミング先の周波数バンドとローミング先の周波数バンドの両方において、その周波数バンドでの通信のための認証が取得されているか否かを判定してもよい。すなわち、情報要素生成部１０１は、移動局１０が第１の周波数バンドと第２の周波数バンドをサポートする場合に、前記第１の周波数バンドまたは第２の周波数バンドに関して、その周波数バンドでの通信のための認証が取得されているか否かを判定する（Ｓ１０５）。認証が取得されていない場合には、認証が取得されていないことを示す情報要素を生成する（Ｓ１０７）。尚、その周波数バンドでの通信のための認証が取得されていない場合には、その周波数バンドでの通信のための認証が取得されていないことを示す情報要素が生成されてもよい。
【００４７】
次に、情報要素生成部１０１は、ローミング先の周波数バンドの一部の帯域のみをサポートしているか否かを判定する（Ｓ１０９）。尚、情報要素生成部１０１は、ローミング先の周波数バンドとローミング先の周波数バンドの両方において、その周波数バンドの一部の帯域のみをサポートしているか否かを判定してもよい。すなわち、情報要素生成部１０１は、移動局１０が第１の周波数バンドと第２の周波数バンドをサポートする場合に、前記第１の周波数バンドまたは第２の周波数バンドに関して、その周波数バンドの一部の帯域のみをサポートしているか否かを判定する（Ｓ１０９）。一部の帯域のみをサポートする場合には、一部の帯域のみをサポートする情報要素を生成する（Ｓ１１１）。尚、その周波数バンドの全ての帯域をサポートする場合には、その周波数バンドの一部の帯域をサポートすることを示す情報要素を生成しなくてもよい。
【００４８】
送信部１０３は、生成された情報要素を送信する（Ｓ１１３）。
【００４９】
図４に、本発明の実施例に係る基地局における通信制御方法のフローチャートを示す。
【００５０】
受信部２０１は、移動局から送信された情報要素を受信する（Ｓ２０１）。このとき、受信感度が劣化したことを示す情報要素を受信したものとする。通信可否判定部２０３は、受信感度が劣化してもよいか否かを判定する（Ｓ２０３）。受信感度が劣化してもよいと判断した場合、移動局との通信を許可する（Ｓ２０５）。通信可否判定部２０３は、受信感度が劣化するのは好ましくないと判断した場合、移動局との通信を許可しない。或いは、通信可否判定部２０３は、受信感度が劣化するのは好ましくないと判断した場合、他の周波数帯で通信を許可し、送受信帯域設定部２０５は、移動局の送受信帯域を設定する（Ｓ２０７）。
【００５１】
図５に、本発明の実施例に係る基地局における通信制御方法のフローチャートを示す。
【００５２】
受信部２０１は、移動局から送信された情報要素を受信する（Ｓ３０１）。このとき、認証が取得されていないことを示す情報要素を受信したものとする。通信可否判定部２０３は、認証が取得されていなくてもよいか否かを判定する。認証が取得されていなくてもよいと判断した場合、移動局との通信を許可する（Ｓ３０５）。通信可否判定部２０３は、認証が取得されていないのは好ましくないと判断した場合、移動局との通信を許可しない。或いは、通信可否判定部２０３は、認証が取得されていないのは好ましくないと判断した場合、他の周波数帯で通信を許可し、送受信帯域設定部２０５は、移動局の送受信帯域を設定する（Ｓ３０７）。
【００５３】
図６に、本発明の実施例に係る基地局における通信制御方法のフローチャートを示す。
【００５４】
受信部２０１は、移動局から送信された情報要素を受信する（Ｓ４０１）。このとき、一部の帯域のみをサポートしていることを示す情報要素を受信したものとする。通信可否判定部２０３は、その一部の帯域での通信を許可し、送受信帯域設定部２０５は、移動局の送受信帯域を設定する（Ｓ４０３）。
【００５５】
次に、図７を参照して移動局から基地局への情報要素の送信方法について説明する。
【００５６】
移動局は他の周波数バンドにローミングする際に、基地局との間にRRC Connectionを設定する（Ｓ５０１）。次に、移動局は、交換機（MME：Mobility Management Entity）に対してAttach Requestを送信する（Ｓ５０３、Ｓ５０５）。このAttach RequestによりUE Capabilityを通知する。移動局は、UE Capabilityに（１）〜（３）の情報要素のうち少なくとも１つを含めて通知する。例えば、UE CapabilityのRF-Parametersの中のSupportedBandListUTRAはサポートする周波数バンドの情報を表すため、このSupportedBandListUTRAに（１）〜（３）の情報要素を設定してもよい。交換機は、UE Capabilityを保持し、移動局に対してAttach Acceptを送信する（Ｓ５０７、Ｓ５０９）。そして、移動局は、交換機に対してAttach Completeを送信する（Ｓ５１１、Ｓ５１３）。
【００５７】
着信時には移動局はページングを受信する（Ｓ５１５）。発信時にはこのステップＳ５１５は実行されない。移動局はデータ送信に先立ち、基地局との間にRRC Connectionを設定する（Ｓ５１７）。移動局が交換機に対してService Requestを送信したときに（Ｓ５１９、Ｓ５２１）、交換機は、保持しているUE Capabilityを基地局に送信する（Ｓ５２３）。このようにして、基地局は、情報要素を受信し、移動局との通信を制御できる。
【００５８】
なお、図示しないが、何らかの理由により交換機がUE Capabilityを保持していない場合には、基地局は、移動局に対してUE Capabilityを基地局に報告するように指示し（UE Capability Enquiry）、移動局はUE Capabilityを基地局に送信する（UE Capability Information）。
【００５９】
＜本発明の実施例の効果＞
以上のように、本発明の実施例によれば、各国での周波数割り当て状況が異なる場合にも、移動局のローミングが可能になる。
【００６０】
また、基地局は、（１）〜（３）の情報要素を判断して、通信の可否を決定でき、その結果、好ましくない通信を拒否できる。また、通信を許可することにより、ローミング収入の増加やユーザの利便性の向上が図れる。
【００６１】
また、（１）〜（３）の情報要素をUE Capabilityに含めて通知することにより、移動局と基地局と交換機との間での移動機能力の通知フローを利用して、情報要素を基地局に通知できる。
【００６２】
説明の便宜上、本発明の実施例に係る基地局及び移動局は機能的なブロック図を用いて説明しているが、本発明は、ハードウェア、ソフトウェア又はそれらの組み合わせで実現されてもよい。また、２以上の実施例の特徴が必要に応じて組み合わせて使用されてもよい。
【００６３】
以上、本発明の実施例について説明したが、本発明は、上記の実施例に限定されることなく、特許請求の範囲内において、種々の変更・応用が可能である。
【符号の説明】
【００６４】
１０    移動局
１０１  情報要素生成部
１０３  送信部
２０    基地局
２０１  受信部
２０３  通信可否判定部
２０５  送受信帯域設定部
【図１】
0005283664.tif 000002
【図２】
0005283664.tif 000003
【図３】
0005283664.tif 000004
【図４】
0005283664.tif 000005
【図５】
0005283664.tif 000006
【図６】
0005283664.tif 000007
【図７】
0005283664.tif 000008